(57)【要約】患者にカテーテル・ハブ（１６０）を固定するためのクリップ（１００）であって、該クリップは、第１表面（１１２）および第１表面と並列の第２表面（１１４）を有する基部（１１０）を含む。クリップはまた、カテーテル・ハブ（１６０）の第１縫合翼（１６２）を基部（１１０）に固定するために第１表面から伸びる第１プロング（１２２）と、カテーテル・ハブの第２縫合翼（１６４）を基部に固定するために第１表面から伸びる第２プロング（１４２）を含む。また、患者にカテーテル・ハブを留める方法が開示され、この方法では、クリップ基部を患者に固定し、カテーテル・ハブをクリップに押圧してクリップに固定する。クリップへの固定は、クリップとハブの固定状態を解除して取り外しを可能とするような方法で、ハブの縫合翼をクリップのそれぞれの固定部によって固定することにより行われる。
2008506460.tif 000002
【特許請求の範囲】
【請求項１】
第１表面および該第１表面と並置された第２表面を有する基部と、
第１表面から伸長しカテーテル・ハブを基部へ固定する第１部分と、
第１表面から伸長しカテーテル・ハブを基部へ固定する第２部分と、
を備えることを特徴とするクリップ。
【請求項２】
前記第２表面は接着剤を備えることを特徴とする請求項１のクリップ。
【請求項３】
前記第１部分は第１プロングおよび少なくとも１本のロケータ・ピンを備えることを特徴とする請求項１のクリップ。
【請求項４】
前記基部を略二分する第１平面を更に備え、前記第１部分は平面の第１側方に配置され、前記第２部分は平面の反対側に配置されることを特徴とする請求項１のクリップ。
【請求項５】
クリップにハブを取り外し可能に取り付ける方法において、
基部の第１表面に配置された本体と、
該本体の第１側面に設けられた第１翼と、
前記本体の第２側面に設けられた第２翼と、
を備えるハブを用意する工程と、
第１表面および該第１表面と並置される第２表面を有する基部と、
前記第１表面から伸長し、カテーテル・ハブを基部へ固定する第１部分と、
前記第１表面から伸長し、カテーテル・ハブを基部へ固定する第２部分と、
を備えるクリップを用意する工程と、
前記第１部分の上部に第１翼を配置し、前記第２部分の上部に第２翼を配置することにより、前記第１部分の少なくとも一部分および前記第２部分の少なくとも一部分を互いに向かって付勢する工程と、
前記第１表面にハブ本体を係合すことにより、前記第１部分の少なくとも一部分および前記第２部分の少なくとも一部分を互いに遠ざかるように付勢し、前記第１翼を前記第１部分に固定し、前記第２翼を前記第２部分に固定する工程と、
を備えることを特徴とする方法。
【請求項６】
クリップからハブを取り外す方法において、
第１表面および該第１表面と並置される第２表面を有する基部と、
前記第１表面から伸長し、カテーテル・ハブを基部へ固定する第１部分と、
前記第１表面から伸長し、カテーテル・ハブを基部へ固定する第２部分と、
を備えるクリップを用意する工程と、
基部の第１表面に配置された本体と、
該本体の第１側面に設けられ、カテーテル・ハブを基部へ固定するために前記第１部分の上部に配置される第１翼と、
前記本体の第２側面に設けられ、カテーテル・ハブを基部へ固定するために第２部分の上部に配置される第２翼と、
を備えるクリップを用意する工程と、
前記第１部分の少なくとも一部分および前記第２部分の少なくとも一部分を互いに向かい合うように配置する工程と、
前記ハブを前記基部の第１表面から離間させて配置する工程と、
を備えることを特徴とする方法。
【請求項７】
クリップからハブを取り外した後、ハブを廃棄する工程をさらに備える請求項６に記載の方法。
【請求項８】
クリップからハブを取り外した後、クリップを廃棄する工程をさらに備える請求項６に記載の方法。
【請求項９】
表面にカテーテル・ハブを固定するためのクリップにおいて、
基部と、
該基部を二分する第１平面と、
該平面の第１側方において前記基部から延びる第１ハブ・クリップであって、第１プロングと、該第１プロングの第１側方に配置された第１ロケータ・ピンと、前記第１プロングの第２側方に配置された第２のロケータ・ピンと、を有する第１ハブ・クリップと、
前記平面の第２側方において前記基部から伸びる第２ハブ・クリップと、を備え、
前記第２ハブ・クリップは前記平面を中心とする前記第１ハブ・クリップのミラー像である、
ことを特徴とするクリップ。
【請求項１０】
前記基部を二分する第２平面を更に備え、
該第２平面は前記第１平面に対して垂直に伸長し、クリップは第２平面に関して対称である、
ことを特徴とする請求項９に記載のクリップ。
【請求項１１】
前記第１プロングは、前記第１平面へ向かって付勢され得ることを特徴とする請求項９のクリップ。
【請求項１２】
前記第１平面に関して対称であることを特徴とする請求項９のクリップ。
【請求項１３】
前記第１プロングは、第１平面から遠ざかるように伸びる第１リップ部を備えることを特徴とする請求項９のクリップ。
【請求項１４】
前記第２ハブ・クリップは、前記基部から伸びる第２プロングを備えることを特徴とする請求項９のクリップ。
【請求項１５】
前記第２プロングは、第１平面から遠ざかるように伸びる第２リップ部を備えることを特徴とする請求項１４のクリップ。
【発明の詳細な説明】
【技術分野】
【０００１】
本発明は、患者の皮膚にカテーテル・ハブ（catheter hub）を取り外し可能に固定するための装置に関する。
（関連出願の引用）
【０００２】
本願は、２００４年７月１４日に出願された米国特許仮出願番号６０／５８７，９８１に関連し、これに基づく優先権を主張するものである。
【背景技術】
【０００３】
カテーテルは、薬剤および/または血液等の液体を患者の血流に挿入または患者の血流から排除するために一般に使用される。カテーテルは、典型的にはハブのような接続ポイントを含んでおり、この接続ポイントはカテーテルが患者の体内に挿入された後も患者の体外にとどまり、カテーテルを患者に固定するために使用され、これによりカテーテルが誤って患者から外される可能性を減少する。
【０００４】
カテーテルが取り付けられた後、カテーテル・ハブは、典型的には患者の皮膚に直接縫合するなどして皮膚に固定的に接続される。この縫合を容易にするために、ハブは、典型的にはハブの側面から伸びる１対の輪（ループ：loop）、すなわち縫合用の翼（ウイング：wing）を有し、この縫合翼に縫合糸が通される。縫合糸を使って患者の皮膚表面に縫合翼を固定することにより、ハブを患者に固定し、ハブの患者の体に対する移動能力を制限する。
【０００５】
しかしながら、そのような縫合は患者の皮膚の穿通を伴い、感染につながる恐れがある。患者の外表皮膚へカテーテルを固定するために接着剤を使った構造が開発されている。例えば、特許文献１，２，３，４，５及び６では、カテーテルまたはカテーテル・ハブを下部構造に固定する様々な構造が開示されており、この下部構造の表面は接着剤を含み、縫合のように皮膚を貫通せずに、患者の皮膚へカテーテルを固定する。
【特許文献１】米国特許第５，１９２，２７４号明細書
【特許文献２】米国特許第５，４５６，６７１号明細書
【特許文献３】米国特許第５，６３７，０９８号明細書
【特許文献４】米国特許第５，７０２，３７１号明細書
【特許文献５】米国特許第６，４９１，６６４号明細書
【特許文献６】米国特許第６，５７２，５５８号明細書
【発明の開示】
【発明が解決しようとする課題】
【０００６】
ペンシルバニア州ハーレイズヴィル（Harleysville, Pennsylvania）のメディカル・コンポーネンツ社（Medical Components, Inc.）によって製造販売されているスプリットストリーム（Split Stream：登録商法）のようなカテーテルは、カテーテル挿入時に皮下に埋め込まれるカテーテル・イングロースカフ（catheter ingrowth cuff）を含んでいる。取り外し可能なハブはカテーテルに接続され、その接続期間は、皮下の皮膚組織がカフ内部へ成長してカフとカテーテルを皮下に固定するまでの間のみとなるように設計されている。カフが皮下に固定された後、ハブが皮膚にこすれることによって引き起こされる患者の不快を緩和するために、カテーテルからハブを取り外すことが好ましい。
【０００７】
ハブを患者の皮膚に縫合する必要なしにカテーテル用のハブを取り外し可能に皮膚に固定する固定装置を提供することは有益である。
【課題を解決するための手段】
【０００８】
したがって、本発明は、第１表面および該第１表面と並べて配置された第２表面を有する基部を備えるクリップ（clip）を提供する。クリップはまた、第１表面から伸長する、カテーテル・ハブを基部へ固定するための第１部分と、第１表面から伸長する、カテーテル・ハブを基部へ固定するための第２部分を含む。
【０００９】
さらに、本発明はまた、クリップに取り外し可能にハブを取り付ける方法を提供する。この方法は、基部の第１表面に配置された本体、本体の第１側面に設けられた第１翼、および本体の第２側面に設けられた第２翼を含むハブを提供する。この方法はまた、第１表面および第１表面と並列の第２表面を有する基部、第１表面から伸長する、カテーテル・ハブを基部へ固定するための第１部分、および第１表面から伸長する、カテーテル・ハブを基部へ固定するための第２部分を含むクリップを提供する。この方法ではさらに、第１部分の上部に第１翼を配置し、第２部分の上部に第２翼を配置することにより、第１部分の少なくとも一部分、および第２部分の少なくとも一部分を互いに向かって付勢し、そして、第１表面にハブ本体を係合すことにより、第１部分の少なくとも一部分および第２部分の少なくとも一部分を互いに遠ざかるように付勢し、第１翼を第１部分に固定し、第２翼を第２部分に固定する。
【００１０】
本発明は、クリップからハブを取り外す方法をさらに提供する。この方法は、第１表面および第１表面と並列の第２表面を有する基部、第１表面から伸長する、カテーテル・ハブを基部へ固定するための第１部分、および第１表面から伸長する、カテーテル・ハブを基部へ固定するための第２部分を含むクリップを提供する。この方法はまた、基部の第１表面に配置された本体、本体の第１側面に設けられ、カテーテル・ハブを基部へ固定するための第１部分の上部に配置された第１翼、および本体の第２側面に設けられ、カテーテル・ハブを基部へ固定するための第２部分の上部に配置された第２翼を含むハブを提供する。この方法では、第１部分の少なくとも一部分、および第２部分の少なくとも一部分が互いに向かい合うように配置され、ハブは基部の第１表面から離れて配置される。
【００１１】
本発明はまた、カテーテル・ハブを表面に固定するクリップを提供する。クリップは基部、基部を二分する第１平面、および平面の第１側方において基部から伸びる第１のハブ・クリップを備える。第１ハブ・クリップは、第１突起（プロング：prong）、この第１プロングの第１側方に配置された第１位置決めピン（ロケータ・ピン：locator pin）、および第１プロングの第２側方に配置された第２ロケータ・ピンを備える。クリップはまた、平面の第２側方において基部から伸びる第２ハブ・クリップを備える。第２ハブ・クリップは、平面を中心とする第１ハブ・クリップのミラー像（鏡像）である。
【発明を実施するための最良の形態】
【００１２】
ここに提示され、明細書の一部を構成する添付の図面は、本発明の現在の好適な実施例を図示し、上述の概要および以下の詳細な記述と共に、本発明の特徴について説明する。
【００１３】
図面全体を通して、同一の参照番号は同一の構成要素を示す。ここで使用される用語は、便宜上のみを目的として用いられており、本発明を限定するものではない。ここで言う用語とは、特に言及された単語、それの派生語および同様の主旨の単語を含んでいる。以下に、本発明の好適な実施例について記述する。尚、本発明はここに記述された好適な実施例によって限定されないことは上記により理解されるべきである。
【００１４】
カテーテルが挿入された患者の皮膚等の表面にカテーテル・ハブ１６０を固定する際に使用されるクリップ１００を図１に示す。好ましくは、カテーテル・ハブ１６０は、２００３年１０月２２日に出願された米国特許出願番号１０／６９１，３３１および２００３年１０月２８日に出願された米国特許出願番号１０／６９５，１７８に示されたハブである。尚、これらの特許出願は、本発明の譲受人によって所有されるもので、引用することにより、その全体がここに組み込まれる。
【００１５】
好ましくは、クリップ１００は、ポリプロピレンのような重合体、あるいは当業者に公知の他の適切な材料から構成される。詳細については後述するが、クリップ１００を構成する材料は、外力により付勢された際にクリップ１００の一部は屈曲するが、外力が排除されると元の位置に向かって、あるいは元の位置に戻ることが可能な柔軟性を有するのが好ましい。
【００１６】
クリップ１００は、第１表面１１２および該第１表面１１２と並列の第２表面１１４を有する略平面の基部１１０を含む。基部１１０は好ましくは略円形の形状を有するが、基部１１０が他の形状を取り得ることは当業者により認識されるであろう。図１に示されるように、第１表面１１２は傾斜端縁１１６を有してもよいが、端縁１１６が傾斜する必要がないことは当業者により認識されるであろう。第２の表面１１４は、好ましくは、患者の皮膚へ固定装置を接着させるのに適している自己接着剤１１８を有している。
【００１７】
クリップ１００の平面図を図２に示し、上部にハブ１６０が装着されたクリップ１００の平面図を図２Ａに示す。基部１１０は、基部１１０に垂直な第１平面Ｐ１および平面Ｐ１に垂直な第２平面Ｐ２によって二分されている。第１固定部１２０は平面Ｐ１の片側に配置され、第２固定部１４０は、好ましくは平面Ｐ１を中心とする第１固定部１２０のミラー像として、平面Ｐ１を挟んで配置されている。平面Ｐ１に沿ったクリップ１００の断面図を図３に示し、平面Ｐ２に沿ったクリップ１００の断面図を図４に示す。
【００１８】
図１〜４を参照すると、第１固定部１２０は、第１表面１１２から略垂直に伸びる第１のプロング１２２を含む。第１プロング１２２は、凸面の曲率を有する略弓状の外面１２４を含む。図３に示されるように、面Ｐ２は第１プロング１２２を二分する。外面１２４と並置される内面１２６は略水平で平面Ｐ１に対して平行であるかもしれないが、内面１２６が略水平で面Ｐ１に平行である必要が必ずしもないことは当業者により認識されるであろう。第１プロング１２２の自由端部１２８は、基部１１０と略平行に、第１平面Ｐ１から遠ざかるように外面１２４から伸びる第１リップ部１３０を含む。傾斜面１３２は、第１リップ部１３０の最も遠い端縁から第１平面Ｐ１へ向かって、基部１１０から遠ざかるように伸設されている。傾斜面１３２は凸面の曲率を有する弓状であることが好ましいが、傾斜面１３２が必ずしも弓状である必要がないことは当業者により認識されるであろう。
【００１９】
次に図３を参照して、引き続き第１固定部１２０について注目すると、第１のロケータ・ピン１３４は第２平面Ｐ２の片側に置かれた第１プロング１２２に隣接して配置され、第２のロケータ・ピン１３６は第２平面Ｐ２の反対側の第１プロング１２２に隣接して配置される。好ましくは、第１および第２ロケータ・ピン１３４、１３６は、第２平面Ｐ２を挟んで互いのミラー像を形成する。また好ましくは、第１ロケータ・ピン１３４の外側表面１３５は第１プロング１２２に対して遠位側に配置され、第２ピン１３６の外側表面１３７は第１プロング１２２に対して遠位側に配置される。
【００２０】
第２固定部１４０は、第１平面Ｐ１および第２平面Ｐ２の両方を中心とした第１固定部１２０のミラー像であることが好ましい。第２固定部１４０は、第１表面１１２から略垂直に伸びる第２プロング１４２を含む。第２プロング１４２は、凸面の曲率を有する略弓状の外面１４４を含む。平面Ｐ２は第２プロング１４２を二分する。外面１４４と並置される内面１４６は、略水平で面Ｐ１に平行であるかもしれないが、内面１４６が必ずしも略水平で面Ｐ１と平行である必要がないことは当業者により認識されるであろう。第２プロング１４２の自由端部１４８は、基部１１０と略平行に、第１平面Ｐ１から遠ざかるように外面１４４から伸びる第２リップ部１５０を含む。傾斜面１５２は、第２リップ部１５０の最も遠い端縁から第１平面Ｐ１へ向かって、基部１１０から遠ざかるように伸設されている。傾斜面１５２は凸面の曲率を有する弓状であることが好ましいが、傾斜面１５２が必ずしも弓状である必要がないことは当業者によって認識されるであろう。
【００２１】
第１ロケータ・ピン１５４は、第２平面Ｐ２の片側にある第１プロング１４２に隣接して配置され、第２ロケータ・ピン１５６は、第２平面Ｐ２の反対側の第１プロング１４２に隣接して配置される。好ましくは、第１、第２ロケータ・ピン１５４および１５６は第２平面Ｐ２を中心とした互いのミラー像である。また好ましくは、第１ロケータ・ピン１５４の外側表面１５５は第１プロング１４２に対して遠位側に配置され、第２ピン１５６の外側表面１５７は第１プロング１４２に対して遠位側に配置される。
【００２２】
図２Ａを参照すると、ハブ１６０をクリップ１００上に装着することにより、ハブ１６０の両側の縫合翼１６２および１６４が、第１、第２固定部１２０、１４０とそれぞれ係合し、第１、第２固定部１２０、１４０は、ハブ１６０を取り外し可能にクリップ１００へ固定する役目を果たす。図２Ａで示されるように、縫合翼１６２、１６４はそれぞれ略半環状であり、その弓状の部分はハブ１６０の本体１６６から遠ざかるように伸設されている。第１固定部１２０は第１縫合翼１６２の弓状の部分と本体１６６の間に嵌合するような寸法、間隔に形成される一方、第２固定部１４０は第２縫合翼１６４の弓状の部分と本体１６６の間に嵌合するような寸法、間隔に形成される。
【００２３】
手術でカテーテル（図示せず）が患者の体内に挿入された後、ハブ１６０は取り外し可能に、また長手方向に移動可能にカテーテルに固定される。ハブ１６０の縦断面が第１平面Ｐ１と略同一平面となるように、ハブ１６０は通常クリップ１００の中央におかれる。その後、ハブ１６０およびクリップ１００を接触させることにより、第１縫合翼１６２が第１プロング１２２の傾斜１３２と係合し、第２縫合翼１６４が、第２プロング１４２の傾斜１５２と係合する。ハブ１６０がクリップ１００に対して押圧されるとき、各縫合翼１６２および１６４により個々それぞれの傾斜面１３２，１５２へかかる力により、第１、第２プロング１２２，１４２は第１平面Ｐ１に向かって付勢される。
【００２４】
第１縫合翼１６２が第１プロング１２２の傾斜面１３２を通過すると、第１プロング１２２に対する付勢力が解放され、第１プロング１２２は元の付勢前の位置へと急速に回復し、また第１縫合翼１６２は、第１リップ部（lip）１３０によってクリップ１００に対して固定される。好適には弓状の外面１２４を、第１縫合翼１６２の弓状の内壁に対して付勢することにより、第１プロング１２２に第１縫合翼１６２をしっかりと固定することが好ましい。
【００２５】
第１縫合翼１６２を第１プロング１２２上に押圧する際、ハブ本体１６６に近い第１縫合翼１６２の弓状内壁は、第１および第２ロケータ・ピン１３４、１３６の外側表面１３５および１３７それぞれの周辺に配置されることになる。第１縫合翼１６２は、第１および第２ロケータ・ピン１３４、１３６の各々を第２平面Ｐ２方向に付勢してもよい。その結果、第１および第２ロケータ・ピン１３４，１３６は、第１縫合翼１６２に対して付勢力を働かせることにより、第１縫合翼１６２をしっかりと係合させる。第１および第２ロケータ・ピン１３４，１３６は、ハブ１６０が第１平面Ｐ１の軸に沿って縦方向に移動するのを制限し、それにより、ハブ１６０をクリップ１００に対して確実に固定する。
【００２６】
同様に、第２の縫合翼１６４が第２プロング１４２の傾斜面１５２を通過すると、第２プロング１４２に対する付勢力は解放され、第２プロング１４２は元の付勢前の位置へと急速に回復し、また第２縫合翼１６４は第２リップ部１５０によってクリップ１００に対して固定される。好適には弓状の外面１４４を、第２縫合翼１６４の弓状の内壁に対して付勢することにより、第２プロング１４２に第２縫合翼１６４をしっかりと固定することが好ましい。
【００２７】
第２縫合翼１６４を第２プロング１４２上に押圧する際、ハブ本体１６６に近い第２縫合翼１６４の弓状内壁は、第１および第２ロケータ・ピン１５４，１５６の外側表面１５５および１５７それぞれの周辺に配置されることになる。第２縫合翼１６４は、第１および第２ロケータ・ピン１５４，１５６の各々を第２平面Ｐ２方向に付勢してもよい。その結果、第１および第２ロケータ・ピン１５４，１５６は、第２縫合翼１６４に対して付勢力を働かせることにより、第２縫合翼１６４をしっかりと係合させる。第１および第２ロケータ・ピン１５４，１５６は、ハブ１６０が第１平面Ｐ１の軸に沿って縦方向に移動するのを制限し、それにより、ハブ１６０をクリップ１００に対して確実に固定する。
【００２８】
図２Ａにおいて示されるように、ハブ１６０は、確実にクリップ１００に接続され、ハブ１６０の平面Ｐ１あるいは平面Ｐ２のいずれかの軸に沿った移動能力は制限される。
【００２９】
ハブ１６０を患者またはカテーテルから取り外したい場合、縫合翼１６２及び１６４が各リップ部１３０及び１５０をそれぞれ通過するまで、第１、第２プロング１２２、１４２の各傾斜面１３２、１５２は第１平面Ｐ１方向へ付勢される。その後、ハブ１６０は、第１、第２プロング１２０、１４０の上部へと基部１１０の第１表面１１２およびクリップ１００から離隔される。
【００３０】
これによりハブ１６０は、カテーテルから取り外すことが出来る。必要に応じて、クリップ１００の第２表面１１４を患者の皮膚から剥がすことにより、クリップ１００を取り外してもよい。ハブ１６０の位置は必要に応じてカテーテルの長さ方向に沿って変更してもよい。したがって、クリップ１００は、患者の皮膚上の異なる位置へ再配置してもよく、また、ハブ１６０は、上述のとおりクリップ１００に再度接続してもよいハブ１６０をもはや使用しない場合は、クリップ１００を廃棄してもよい。
【００３１】
本発明の広い発明概念から逸脱することなく、上述された実施例に変更を加えることが可能であることは当業者にとって理解されるであろう。したがって、本発明は開示された特定の実施例に限定されることはなく、添付の特許請求の範囲によって示される本発明の精神および範囲内に属する変更は、すべて本発明の範囲内のものである。
【図面の簡単な説明】
【００３２】
【図１】カテーテル・ハブがクリップ上に装着された状態の本発明によるカテーテル・クリップ１００の透視図である。
【図２】図１のカテーテル・クリップの平面図である。
【図２Ａ】カテーテル・ハブがクリップ上に装着された状態の図１のカテーテル・クリップの平面図である。
【図３】図１のクリップの断面図である。
【図４】図２の断面に垂直な線に沿った図１のクリップの断面図である。
【図１】
2008506460.tif 000003
【図２】
2008506460.tif 000004
【図２Ａ】
2008506460.tif 000005
【図３】
2008506460.tif 000006
【図４】
2008506460.tif 000007
【国際調査報告】
2008506460.tif 000008